(57)【要約】【課題】少ない照射部によって光硬化樹脂を爪全体において均一に硬化させることが可能な樹脂硬化装置を提供する。【解決手段】本樹脂硬化装置１０は、指先が配置される配置領域を挟んで並ぶ第１反射部２２１及び第２反射部２２２と、光硬化樹脂を硬化させる光を照射する第１照射部３１及び第２照射部３２と、を備え、第１反射部２２１は、第２反射部２２２と対向する第１反射面２２５を有し、第２反射部２２２は、第１反射部２２１と対向する第２反射面２２７を有し、第１照射部３１は、第１反射部２２１と第２反射部２２２との並び方向において配置領域に対して第１反射部２２１側に配置され、第２反射面２２７を介して配置領域に光りを照射し、第２照射部３２は、並び方向において配置領域に対して第２反射部２２２側に配置され、第１反射面２２５を介して配置領域に前記光を照射する構成を有する。【選択図】図６
2015070977.tif 000002
【特許請求の範囲】
【請求項１】
指先が配置される配置領域を挟んで並ぶ第１反射部及び第２反射部と、光硬化樹脂を硬化させる光を照射する第１照射部及び第２照射部と、を備え、前記第１反射部は、前記第２反射部と対向する第１反射面を有し、前記第２反射部は、前記第１反射部と対向する第２反射面を有し、前記第１照射部は、前記第１反射部と前記第２反射部との並び方向において前記配置領域に対して前記第１反射部側に配置され、前記第２反射面を介して前記配置領域に前記光を照射し、前記第２照射部は、前記並び方向において前記配置領域に対して前記第２反射部側に配置され、前記第１反射面を介して前記配置領域に前記光を照射することを特徴とする樹脂硬化装置。
【請求項２】
前記第１照射部は、第１光源と、該第１照射部の光軸が前記第２反射面と交差するように前記第１光源が発した光を反射する第１反射部材と、を有し、前記第２照射部は、第２光源と、該第２照射部の光軸が前記第１反射面と交差するように前記第２光源が発した光を反射する第２反射部材と、を有することを特徴とする請求項１に記載の樹脂硬化装置。
【請求項３】
前記第１反射部材は、前記第１照射部の光軸の前記並び方向に対する角度が１０°より大きく、且つ３０°より小さくなるように、前記第１光源が発する光を反射し、前記第２反射部材は、前記第２照射部の光軸の前記並び方向に対する角度が１０°より大きく、且つ３０°より小さくなるように、前記第２光源が発する光を反射することを特徴とする請求項２に記載の樹脂硬化装置。
【請求項４】
前記第１反射部材は、前記第１の光軸を挟んだ両側の端部において反射した光の光路が前記第１の光軸上で交差し且つこの交差した光路同士のなす角度が３０°以内となるように前記第１光源が発する光を反射し、前記第２反射部材は、前記第２の光軸を挟んだ両側の端部において反射した光の光路が前記第２の光軸上で交差し且つこの交差した光路同士のなす角度が３０°以内となるように前記第２光源が発する光を反射することを特徴とする請求項３に記載の樹脂効果装置。
【請求項５】
前記第１光源及び前記第２光源は、閃光放電管であることを特徴とする請求項２〜請求項４のいずれか１項に記載の樹脂硬化装置。
【請求項６】
手の指先が載置される載置台と、前記載置台が着脱可能に配置される照射室と、を備え、前記載置台は、前記並び方向における前記配置領域と前記第１反射面との間に位置する第３反射面、及び前記並び方向における前記配置領域と前記第２反射面との間に位置する第４反射面を有し、前記第３反射面と前記第４反射面とは対向し、前記第１照射部は、前記第４反射面を介して前記配置領域に光を照射し、前記第２照射部は、前記第３反射面を介して前記配置部に光を照射し、前記照射室は、前記第１反射部及び前記第２反射部を有し、前記載置台が取り外されることによって前記配置領域が広がることを特徴とする請求項１〜請求項５のいずれか１項に記載の樹脂硬化装置。
【発明の詳細な説明】
【技術分野】
【０００１】
本発明は、手や足の爪に塗布される光硬化樹脂に光を照射することによって該光硬化樹脂を硬化させる樹脂硬化装置に関する。
【背景技術】
【０００２】
従来から、手や足の爪を装飾するために、ネイルチップやスカルプチュアなどの付け爪を自爪に貼り付けることが一般的に行われている。この付け爪には、ウレタンアクリル樹脂などを主成分とするジェルを利用して人工爪を形成するジェルネイルがある。ジェルは、光硬化樹脂の一種であり、紫外線領域の特定波長の光が照射されることで硬化して人工爪となる。このため、ジェルネイルでは、ジェルを硬化させるために、紫外線領域の波長の光を照射する樹脂硬化装置が必要となる（例えば、特許文献１）。
【０００３】
この種の樹脂硬化装置は、手や足の指先が配置される配置部と、配置部に配置された指先に紫外線領域の特定波長の光（ジェル等の光硬化樹脂を硬化させる光。以下、単に「光」と称する。）を照射する照射部と、を備える。
【０００４】
この樹脂硬化装置では、光硬化樹脂が爪に塗布された後、指先が配置部に配置され、照射部からこの指先に対して光が照射される。これにより、光が照射された光硬化樹脂が硬化する。このとき、指先の各爪がそれぞれ湾曲しているため、垂直下方に向けた光の照射のみでは爪の各部位に対して入射する光の光量が異なり、これにより、爪の各部位において光硬化性樹脂が均一に硬化しない。このため、前記樹脂硬化装置では、多数の照射部を設け、指先に対して複数の方向から光を照射することによって、湾曲している爪の各部位に対して略均一に光を照射し、爪全体において光硬化樹脂を均一に硬化させている。
【先行技術文献】
【特許文献】
【０００５】
【特許文献１】特開２０１２−５９８４号公報
【発明の概要】
【発明が解決しようとする課題】
【０００６】
しかしながら、樹脂硬化装置において照射部の数が多いと、各照射部から放射された光を指先まで案内するための光学系や各照射部を制御するための回路等が複雑になる。
【０００７】
そこで、本発明は、上記問題点に鑑み、少ない照射部によって光硬化樹脂を爪全体において均一に硬化させることが可能な樹脂硬化装置を提供することを課題とする。
【課題を解決するための手段】
【０００８】
本発明に係る光硬化樹脂硬化装置は、指先が配置される配置領域を挟んで並ぶ第１反射部及び第２反射部と、光硬化樹脂を硬化させる光を照射する第１照射部及び第２照射部と、を備え、前記第１反射部は、前記第２反射部と対向する第１反射面を有し、前記第２反射部は、前記第１反射部と対向する第２反射面を有し、前記第１照射部は、前記第１反射部と前記第２反射部との並び方向において前記配置領域に対して前記第１反射部側に配置され、前記第２反射面を介して前記配置領域に前記光を照射し、前記第２照射部は、前記並び方向において前記配置領域に対して前記第２反射部側に配置され、前記第１反射面を介して前記配置領域に前記光を照射することを特徴とする。
【０００９】
かかる構成によれば、異なる位置に配置された各照射部から指先に直接照射される光に加え、第１反射面及び第２反射面での反射光も利用することによって、少ない照射部（第１照射部と第２照射部）であっても、配置領域に配置された指先に複数の方向から光を照射することができる。即ち、異なる位置に配置された第１照射部及び第２照射部から配置領域に配置された指先にそれぞれ直接入射する光と、配置領域を挟んで対向する第１反射面及び第２反射面によって反射された後に前記指先に入射する光（反射光）とによって、指先に対して複数の方向から光が照射される。しかも、配置領域を挟んで互いに対向する第１反射面及び第２反射面を用いることで、上方からの照射だけでは十分に光を照射し難い爪の幅方向の端部に対して、反射光を効果的に入射させることができる。これにより、少ない照射部（第１照射部及び第２照射部）によって光硬化樹脂を爪全体において均一に硬化させることが可能となる。
【００１０】
この場合、前記第１照射部は、第１光源と、該第１照射部の光軸が前記第２反射面と交差するように前記第１光源が発した光を反射する第１反射部材と、を有し、前記第２照射部は、第２光源と、該第２照射部の光軸が前記第１反射面と交差するように前記第２光源が発した光を反射する第２反射部材と、を有することが好ましい。
【００１１】
かかる構成によれば、各照射部から照射された光を反射面によって確実に反射させることができ、これにより、上方からの照射だけでは光が当たり難い湾曲した爪の端部（指先の幅方向の端部）に反射光をより確実に照射することができる。
【００１２】
また、前記第１反射部材は、前記第１照射部の光軸の前記並び方向に対する角度が１０°より大きく、且つ３０°より小さくなるように、前記第１光源が発する光を反射し、前記第２反射部材は、前記第２照射部の光軸の前記並び方向に対する角度が１０°より大きく、且つ３０°より小さくなるように、前記第２光源が発する光を反射することがより好ましい。
【００１３】
かかる構成によれば、装置の大型化を抑えつつ、手や足の指先を配置するための配置スペース（配置領域）を確保することができる。具体的には、以下の通りである。
【００１４】
第２反射面における第１照射部の光軸の前記並び方向に対する角度と、第１反射面における第２照射部の光軸の前記並び方向に対する角度とがそれぞれ１０°以下の場合、各反射面に入射する第１照射部又は第２照射部からの光の入射角が小さくなり過ぎるため、反射光を各指の爪に入射させ且つ指先の配置スペース（配置領域）を確保しようとすると、前記並び方向における装置の寸法が大きくなり過ぎる。一方、第２反射面における第１照射部の光軸の前記並び方向に対する角度と、第１反射面における第２照射部の光軸の前記並び方向に対する角度とがそれぞれ３０°以上の場合、各反射面に入射する第１照射部又は第２照射部からの光の入射角が大きくなり過ぎるため、反射光を各指の爪に入射させ且つ指先の配置スペース（配置領域）を確保しようとすると、前記入射角が測定される面上で且つ前記並び方向と直交する方向における装置の寸法が大きくなり過ぎる。
【００１５】
また、前記第１反射部材は、前記第１の光軸を挟んだ両側の端部で反射した光の光路が前記第１の光軸上で交差し且つこの交差した光路同士のなす角度が３０°以内となるように前記第１光源が発する光を反射し、前記第２反射部材は、前記第２の光軸を挟んだ両側の端部で反射した光の光路が前記第２の光軸上で交差し且つこの交差した光路同士のなす角度が３０°以内となるように前記第２光源が発する光を反射することが好ましい。
【００１６】
かかる構成によれば、各照射部から照射された光を集中して反射面によって反射させることができ、これにより、上方からの照射だけでは光が当たり難い湾曲した爪の端部（指先の幅方向の端部）に照射される光の光量が十分に確保される。その結果、より確実に、光硬化樹脂を爪全体において均一に硬化させることができる。
【００１７】
また、前記樹脂硬化装置において、前記第１光源及び前記第２光源は、閃光放電管であってもよい。
【００１８】
従来の樹脂硬化装置では、光照射部から照射される光の波長域が狭く、この波長域で硬化する光硬化樹脂しか硬化させることができなかった。そこで、複数種の光硬化樹脂（異なる波長域の光で硬化する複数の光硬化樹脂）に対応するために、光照射部の光源として波長域の広い光を照射可能な閃光放電管（例えば、キセノン放電管）を用いることが考えられる。
【００１９】
しかし、従来の装置のように、照射部（光源）が多数配置された構成では、光源として閃光放電管を用いた場合、閃光放電管の動作に必要なメインコンデンサ等の比較的大きな部品の数も増加するために装置が大型化する。
【００２０】
本発明に係る樹脂硬化装置では、異なる位置に配置された各照射部から指先に直接照射される光に加え、第１反射面及び第２反射面での反射光も利用することによって、少ない照射部（第１照射部と第２照射部）であっても指先に対して複数の方向から光を照射できるため、上記構成のように光源として閃光放電管が用いられても、装置の大型化を防ぐことができる。
【００２１】
また、前記樹脂硬化装置において、手の指先が載置される載置台と、前記載置台が着脱可能に配置される照射室と、を備え、前記載置台は、前記並び方向における前記配置領域と前記第１反射面との間に位置する第３反射面、及び前記並び方向における前記配置領域と前記第２反射面との間に位置する第４反射面を有し、前記第３反射面と前記第４反射面とは対向し、前記第１照射部は、前記第４反射面を介して前記配置領域に光を照射し、前記第２照射部は、前記第３反射面を介して前記配置部に光を照射し、前記照射室は、前記第１反射部及び前記第２反射部を有し、前記載置台が取り外されることによって前記配置領域が広がる構成であってもよい。
【００２２】
かかる構成によれば、載置台を照射室に着脱することで、手の指先に光を照射するときの配置領域と、足の指先に光を照射するときの配置領域との大きさを変更して、各照射部及び各反射面から手又は足の指先までの距離を変更することができる。これにより、足の指先（つま先）を配置できる大きさの配置領域に手の指先を配置したときの光の照射効率の低下を好適に防ぐことができる。
【００２３】
しかも、照射室と載置台とが配置領域の両側に設けられて対向する一対の反射面（第１反射面及び第２反射面と、第３反射面及び第４反射面）をそれぞれ有しているため、手又は足の指先の配置領域の大きさに合わせて好適な光学系の構築が可能である。
【発明の効果】
【００２４】
本発明によれば、少ない照射部によって光硬化樹脂を爪全体において均一に硬化させることが可能な樹脂硬化装置を提供することができる。
【図面の簡単な説明】
【００２５】
【図１】本実施形態に係る樹脂硬化装置の斜視図
【図２】開口が設けられた壁面を取り除くと共に載置台を取り外した状態の斜視図
【図３】前記樹脂硬化装置の内部を説明するための概略縦断面図
【図４】配置部及び光照射部の拡大斜視図
【図５】配置部及び光照射部の拡大横断面図
【図６】（Ａ）は、図５における第１照射部周辺の拡大図、（Ｂ）は、図５における第２照射部周辺の拡大図
【図７】被照射部位へ光を照射したときの光路を説明するための図
【発明を実施するための形態】
【００２６】
以下、本発明の一実施形態について、図１〜図７を参酌しつつ説明する。本実施形態に係る樹脂硬化装置（以下、単に「装置」とも称する。）は、図１〜図３に示すように、配置部２０と、光照射部３０と、制御部４０と、操作部５０と、を備える。これら配置部２０、光照射部３０、制御部４０、及び操作部５０は、筺体１２に収容又は形成されている。この筺体１２は、略矩形の外観を有し、一つの壁面１２１に手や足の指先（以下、「被照射部位」とも称する。）を挿入するための開口１２２が形成されている。以下では、開口１２２が形成された壁面１２１を正面とし、図１における壁面１２１の横方向を幅方向（並び方向）、壁面１２１の上下方向を高さ方向、装置１０の奥行き方向を前後方向、とする。
【００２７】
配置部２０は、筺体１２の開口１２２から挿入された被照射部位が配置されて該被照射部位に光照射部３０からの光が照射される部位である。配置部２０は、照射室２２と、照射室２２に着脱可能に配置される載置台２４とを有する。この配置部２０では、載置台２４の着脱によって、被照射部位の配置スペース（配置領域）の大きさを変更できる。即ち、本実施形態の装置１０では、照射室２２から載置台２４を取り外すことにより、配置スペースを大きくし、照射室２２に載置台２４を取り付けることにより、配置スペースを小さくすることができる。
【００２８】
照射室２２は、幅方向に間隔を空けて対向する一対の側壁（第１側壁（第１反射部）２２１及び第２側壁（第２反射部）２２２）と、一対の側壁２２１、２２２の上端同士を接続する天壁２２３と、一対の側壁２２１、２２２の後方側の端部同士を接続する後方壁２２４と、を有する。照射室２２は、その内部に被照射部位が配置可能な大きさを有する。
【００２９】
第１側壁２２１は、第２側壁２２２と対向する面として、前後方向及び上下方向に広がる平滑な反射面（第１反射面）２２５を有する。また、第１側壁２２１は、前後方向に真っ直ぐ延びる案内溝２２６を下端に有する（図２参照）。また、第２側壁２２２は、第１側壁２２１と対向する面として、前後方向及び上下方向に広がる平滑な反射面（第２反射面）２２７を有する。また、第２側壁２２２は、前後方向に真っ直ぐ延びる案内溝２２８を下端に有する。本実施形態では、第２側壁２２２の案内溝２２８の断面（案内溝２２８の延びる方向と直交する断面）形状は、第１側壁２２１の案内溝２２６の断面（案内溝２２６の延びる方向と直交する断面）形状と同じである。
【００３０】
これら第１側壁２２１及び第２側壁２２２は、正面視における装置１０の中心線Ｃからの距離が等しい位置にそれぞれ設けられている（図４参照）。そして、第１反射面２２５と第２反射面２２７とは、同じ形状（本実施形態の例では矩形状）の面であり、互いに平行である。
【００３１】
天壁２２３は、配置部２０の上側に設けられた光照射部３０と上下に重なる部位に保護ガラス２２３Ａを有する。この保護ガラス２２３Ａは、光を透過するが、照射室２２内に挿入された被照射部位や、照射室２２内のゴミや埃等が光照射部３０に進入するのを防ぐ。
【００３２】
載置台２４は、筺体１２の開口１２２から出し入れ可能に照射室２２に取り付けられる。この載置台２４は、水平方向に広がる板状の基部２４１と、基部２４１に立設される一対の反射壁（第１反射壁２４２及び第２反射壁２４３）と、を有する。
【００３３】
基部２４１は、平面視、略矩形の板状の部位であり、幅方向の寸法が照射室２２の一対の側壁２２１、２２２同士の間隔と対応し、前後方向の寸法が側壁２２１、２２２の前後方向の寸法と対応する。この基部２４１は、手の指先を載置する載置面２４４を上端に有し、載置面２４４は、該載置面２４４上における指先の位置決めをするための複数の凹部２４４Ａ、２４４Ａ、…を有する。また、基部２４１は、照射室２２の第１側壁２２１下端の案内溝２２６と第２側壁２２２下端の案内溝２２８とに嵌り込む突条２４５をそれぞれ有する。この突条２４５は、基部２４１の幅方向両端において、外側に向けて突出し且つ前後方向に真っ直ぐ延びている。また、突条２４５は、第１側壁２２１及び第２側壁２２２の下端に設けられた案内溝２２６、２２８の断面形状と対応する断面形状を有している。これにより、載置台２４を両案内溝２２６、２２８に沿って前後に動かすことで、載置台２４を照射室２２から取り外す、又は載置台２４を照射室２２に取り付けることができる。
【００３４】
第１反射壁２４２及び第２反射壁２４３は、基部２４１の幅方向の両端部において、前後方向及び上下方向に広がる壁である。これら第１反射壁２４２及び第２反射壁２４３の間隔は、その間に手の指先（五指）を配置可能な寸法である。第１反射壁２４２は、第２反射壁２４３と対向する面として、前後方向及び上下方向に広がる平滑な反射面（第３反射面）２４６を有する。また、第２反射壁２４３は、第１反射壁２４２と対向する面として、前後方向及び上下方向に広がる平滑な反射面（第４反射面）２４７を有する。これら第１反射壁２４２及び第２反射壁２４３は、正面視において装置１０の中心線Ｃを挟んで対称に（即ち、中心線Ｃからの距離が等しい位置に）配置されている。そして、第３反射面２４６と第４反射面２４７とは、同じ形状（本実施形態の例では矩形状）の面であり、互いに平行である。このような配置により、載置台２４が照射室２２に取り付けられた状態で載置面２４４上に手の指先（五指）を載置したときに、前記指先が配置される領域（以下、「配置領域」と称する。）と第１反射面２２５との間に第３反射面２４６が位置し、配置領域と第２反射面２２７との間に第４反射面２４７が位置する。
【００３５】
尚、本実施形態の装置１０では、第１反射面２２５、第２反射面２２７、第３反射面２４６、及び第４反射面２４７は、互いに平行である。
【００３６】
光照射部３０は、図４及び図５にも示されるように、配置部２０（照射室２２）の天壁２２３に載置され、一対の照射部（第１照射部３１及び第２照射部３２）と、反射板３３と、一対の支持板３４、３４と、を有する。光照射部３０において、第１照射部３１及び第２照射部３２は、中心線Ｃを挟んで対象な位置に配置されている。具体的に、第１照射部３１は第１反射面２２５及び第３反射面２４６の上方に配置され、第２照射部３２は第２反射面２２７及び第４反射面２４７の上方に配置されている。
【００３７】
第１照射部３１は、配置部２０（照射室２２内）の配置領域に配置された被照射部位に光を照射すると共に、照射室２２の第２反射面２２７（照射室２２に載置台２４が取り付けられているときは第４反射面２４７）を介して被照射部位に光を照射する。この第１照射部３１は、第１のフラッシュランプ（第１光源）３１１と、第１の反射傘（第１反射部材）３１２と、第１の波長制限フィルタ３１３と、を有する。
【００３８】
第１のフラッシュランプ３１１は、複数種の光硬化樹脂（例えば、ＵＶランプ用の光硬化樹脂、ＵＶＬＥＤ用の光硬化樹脂等）を硬化できるよう、紫外線領域から赤外線領域までの広い波長域の光を発光する。この第１のフラッシュランプ３１１が発する光の波長域には、各光硬化樹脂（例えば、ＵＶランプ用の光硬化樹脂、ＵＶＬＥＤ用の光硬化樹脂等）が硬化する各波長が含まれている。この第１のフラッシュランプ３１１は、前後方向に延びる所謂線状光源である。本実施形態の第１のフラッシュランプ３１１は、キセノン放電管（閃光放電管）である。尚、第１のフラッシュランプ３１１は、紫外線領域の光としては、ＵＶ―Ａ及びＵＶ−Ｂを発光する。ここで、ＵＶ−Ａとは、波長域が３２０ｎｍ（又は３１５ｎｍ）〜４００ｎｍの紫外線であり、ＵＶ−Ｂとは、波長域が２８０ｎｍ〜３２０ｎｍ（又は３１５ｎｍ）の紫外線である。
【００３９】
第１の反射傘３１２は、第１照射部３１の光軸（第１の光軸）ｏａ１が第２反射面２２７（又は第４反射面２４７）と交差するように第１のフラッシュランプ３１１が発した光を反射する（図５参照）。
【００４０】
具体的に、第１の反射傘３１２は、配置領域及び第２反射面２２７（又は第４反射面２４７）に向かう方向が開放され且つ第１のフラッシュランプ３１１と一部が密接した状態で該第１のフラッシュランプ３１１を周方向に囲うように湾曲している。詳しくは、第１の反射傘３１２は、第１のフラッシュランプ３１１に沿ってその長尺方向（前後方向）に延び、且つ、前記長尺方向の各位置における該長尺方向と直交する断面形状が第１の光軸ｏａ１を中心線とする放物線状となる形態を有する（図５参照）。
【００４１】
本実施形態の第１の反射傘３１２は、前記長尺方向と直交する断面において、第１の光軸ｏａ１より上側の部位が、第１の光軸ｏａ１より下側の部位よりも中心線Ｃ側に長く延びている。そして、図５に示すように、前記上側の部位の先端で反射された光の光路と前記下側の部位の先端で反射された光の光路とのなす角θ１が３０°（第１の光軸ｏａ１に対して±１５°）以内となるように、第１の反射傘３１２は湾曲している。
【００４２】
また、第１の反射傘３１２は、図６（Ａ）に示すように、第１の光軸ｏａ１の幅方向（一対の側壁２２１、２２２の並び方向：図６（Ａ）においては水平方向）に対する角度θ３が１０°より大きく、且つ３０°より小さくなるように、第１のフラッシュランプ３１１が発した光を反射する。
【００４３】
尚、第１の反射傘３１２の前記下側の部位の先端位置は、正面視において、第１反射面２２５より中心線Ｃ側まで延びている。これにより、載置台２４が照射室２２から取り外された状態で第１照射部３１から放射されて配置領域に向かう光の一部が第１反射面２２５の形成されている第１側壁２２１等によって遮られることを防ぐことができる。
【００４４】
第１の波長制限フィルタ３１３は、第１の反射傘３１２の開口部を塞ぐように配置される。第１の波長制限フィルタ３１３は、該第１の波長制限フィルタ３１３に入射した光（第１のフラッシュランプ３１１が発した光）を濾波し、ＵＶ−Ａ及び可視光領域の光を選択的に放出する。
【００４５】
第２照射部３２は、配置部２０（照射室２２内）の配置領域に配置された被照射部位に光を照射すると共に、照射室２２の第１反射面２２７（照射室２２に載置台２４が取り付けられているときは第３反射面２４６）を介して被照射部位に光を照射する。この第２照射部３２は、第２のフラッシュランプ（第２光源）３２１と、第２の反射傘（第２反射部材）３２２と、第２の波長制限フィルタ３２３と、を有する。
【００４６】
第２のフラッシュランプ３２１は、第１のフラッシュランプ３１１と同様のキセノン放電管（閃光放電管）であり、波長域の広い光を発光する。この第２のフラッシュランプ３２１は、第１のフラッシュランプ３１１と同じ高さ位置において前後方向に延びる所謂線状光源である。従って、装置１０では、第１のフラッシュランプ３１１と第２のフラッシュランプ３２１とは、幅方向（水平方向）に間隔を空けて略平行に配置されている。
【００４７】
第２の反射傘３２２は、第２照射部３２の光軸（第２の光軸）ｏａ２が第１反射面２２５（又は第３反射面２４６）と交差するように第２のフラッシュランプ３２１が発した光を反射する。
【００４８】
具体的に、第２の反射傘３２２は、配置領域及び第１反射面２２５（又は第３反射面２４６）に向かう方向が開放され且つ第２のフラッシュランプ３２１と一部が密接した状態で該第２のフラッシュランプ３２１を周方向に囲うように湾曲している。詳しくは、第２の反射傘３２２は、第２のフラッシュランプ３２１に沿ってその長尺方向（前後方向）に延び、且つ、前記長尺方向の各位置における該長尺方向と直交する断面形状が第２の光軸ｏａ２を中心線とする放物線状となる形態を有する（図５参照）。
【００４９】
本実施形態の第２の反射傘３２２は、前記長尺方向と直交する断面において、第２の光軸ｏａ２より上側の部位が、第２の光軸ｏａ２より下側の部位よりも中心線Ｃ側に長く延びている。そして、図５に示すように、前記上側の部位の先端で反射された光の光路と前記下側の部位の先端で反射された光の光路とのなす角θ２が３０°（第２の光軸ｏａ２に対して±１５°）以内となるように、第２の反射傘３２２は、湾曲している。
【００５０】
また、第２の反射傘３２２は、図６（Ｂ）に示すように、第２の光軸ｏａ２の幅方向に対する角度θ４が１０°より大きく、且つ３０°より小さくなるように、第２のフラッシュランプ３２１が発した光を反射する。
【００５１】
尚、第２の反射傘３２２の前記下側の部位の先端位置は、正面視において、第２反射面２２７より中心線Ｃ側まで延びている。これにより、載置台２４が照射室２２から取り外された状態で第２照射部３２から放射されて配置領域に向かう光の一部が第２反射面２２７の形成されている第２側壁２２２等によって遮られることを防ぐことができる。
【００５２】
第２の波長制限フィルタ３２３は、第２の反射傘３２２の開口部を塞ぐように配置される。第２の波長制限フィルタ３２３は、第１の波長制限フィルタ３１３と同様に、該第２の波長制限フィルタ３２３に入射した光（第２のフラッシュランプ３２１が発した光）を濾波し、波長域が可視光領域の光及びＵＶ−Ａを選択的に放出する。
【００５３】
反射天板３３は、第１照射部３１及び第２照射部３２の上端間に掛け渡された板状の部材であり、下面が反射面となっている。この反射天板３３は、正面視において中心線Ｃに向かって低くなるように中心線Ｃの位置において屈曲している。反射天板３３における第１照射部３１から中心線Ｃまでの第１部位３３１は、第１照射部３１から放射された光のうち、反射天板３３がなければ第２反射面２２７の上端よりも上方側を通る光を、第２反射面２２７に入射するように反射する。また、反射天板３３における第２照射部３２から中心線Ｃまでの第２部位３３２は、第２照射部３２から放射された光のうち、反射天板３３がなければ第１反射面２２５の上端よりも上方側を通る光を、第１反射面２２５に入射するように反射する。本実施形態の反射天板３３は、第１部位３３１と第２部位３３２とが一体に構成されているが、別体であってもよい。
【００５４】
一対の支持板３４、３４は、反射天板３３が照射室２２の天壁２２３から所定の高さ位置となるように、天壁２２３上において反射天板３３を支持している。
【００５５】
制御部４０は、操作部５０からの入力に基づいて光照射部３０による光の照射を制御する。本実施形態の制御部４０は、例えば、光照射部３０からの照射光における波長域の光の総照射エネルギ、１秒当たりの発光回数、発光１回当たりの波長域の光の照射エネルギ、及び、照射時間の等を制御する。
【００５６】
操作部５０は、制御部４０への入力及び表示等を行う。この操作部５０は、各種のスイッチや、表示ランプ等を備える。
【００５７】
以上の装置１０では、筺体１２の開口１２２から、各爪にジェルネイル等の光硬化樹脂を塗布した状態の被照射部位を挿入する。このとき、手の爪に塗布された光硬化樹脂を硬化させるときには、載置台２４を照射室２２に取り付けた状態で手の指先を筺体１２の開口１２２から照射室２２内に挿入し、載置台２４上に載置する（図７参照）。また、足の爪に塗布された光硬化樹脂を硬化させるときには、載置台２４を照射室２２から取り外した状態で足の指先（つま先）を筺体１２の開口１２２から照射室２２内に挿入し、装置１０が配置されている台等の上に載置する。これにより、足の指先（つま先）を配置できる大きさの配置スペースに手の指先を配置したときの光の照射効率の低下を好適に防ぐことができる。
【００５８】
そして、被照射部位が配置部２０の配置領域に配置された状態で、操作部５０のスイッチ等を操作し、光照射部３０から光を放射させる。このとき、装置１０では、図７に示すように、異なる位置に配置された各照射部（第１照射部３１及び第２照射部３２）から指先に直接照射される光に加え、第１反射面２２５（又は第３反射面２４６）及び第２反射面２２７（又は第４反射面２４７）での反射光も利用することによって、少ない照射部（第１照射部３１と第２照射部３２）であっても、指先に複数の方向から光を照射することができる。即ち、幅方向に離れた位置に配置された第１照射部３１及び第２照射部３２から指先にそれぞれ直接入射する光と、配置領域を挟んで対向する第１反射面２２５（又は第３反射面２４６）及び第２反射面２２７（又は第４反射面２４７）によって反射された後に被照射部位に入射する光（反射光）とによって、被照射部位に対して複数の方向から光が照射される。しかも、配置領域を挟んで互いに対向する第１反射面２２５（又は第３反射面２４６）及び第２反射面２２７（第４反射面２４７）を用いることで、上方からの照射だけでは十分に光を照射し難い爪の幅方向の端部に対して、反射光を効果的に入射させることができる。これにより、少ない照射部（第１照射部３１及び第２照射部３２）によって光硬化樹脂を爪全体において均一に硬化させることが可能となる。
【００５９】
尚、図７では、一つの爪に対して入射する光のうちの一部の光の光路のみを示している。また、第１及び第２の波長制限フィルタ３１３、３２３と、保護ガラス２２３Ａとにおける光の屈折については省略して記載している。
【００６０】
また、本実施形態の装置１０では、第１の光軸ｏａ１と第２反射面２２７（又は第４反射面２４７）とが交差し、第２の光軸ｏａ２と第１反射面２２５（又は第３反射面２４６）とが交差している。このため、各照射部３１、３２から照射された光を反射面２２５、２２７（又は２４６、２４７）によって確実に反射させることができ、これにより、上方からの照射だけでは光が当たり難い湾曲した爪の端部（指先の幅方向の端部）に反射光をより確実に照射することができる。
【００６１】
また、本実施形態の装置１０では、図６（Ａ）に示すように、第１の光軸ｏａ１と幅方向とのなす角θ３が１０°より大きく且つ３０°より小さい。また、図６（Ｂ）に示すように、第２の光軸ｏａ２と幅方向（第１反射面２２５の法線）とのなす角θ４が１０°より大きく且つ３０°より小さい。このため、本実施形態の装置１０では、該装置１０の大型化を抑えつつ、被照射部位を配置するための配置スペース（配置領域）を配置部２０において確保することができる。具体的には、以下の通りである。
【００６２】
第２反射面２２７（又は第４反射面２４７）の位置における第１の光軸ｏａ１と幅方向とのなす角θ３、及び、第１反射面２２５（又は第３反射面２４６）の位置における第２の光軸ｏａ２と幅方向とのなす角θ４が、それぞれ１０°以下の場合、各反射面２２５、２２７（又は２４６、２４７）に入射する第１照射部３１又は第２照射部３２からの光の入射角が小さくなり過ぎるため、反射光を各指の爪に入射させ且つ被照射部位の配置スペース（配置領域）を確保しようとすると、装置１０の幅方向の寸法が大きくなり過ぎる。
【００６３】
一方、第２反射面２２７（又は第４反射面２４７）の位置における第１の光軸ｏａ１と幅方向とのなす角θ３、及び、第１反射面２２５（又は第３反射面２４６）の位置における第２の光軸ｏａ２と幅方向とのなす角θ４が、それぞれ３０°以上の場合、各反射面２２５、２２７（又は２４６、２４７）に入射する第１照射部３１又は第２照射部３２からの光の入射角が大きくなり過ぎるため、反射光を各指の爪に入射させ且つ被照射部位の配置スペース（配置領域）を確保しようとすると、装置１０の高さ方向の寸法が大きくなり過ぎる。
【００６４】
また、本実施形態の装置１０では、図５に示すように、第１の反射傘３１２の上側の部位の先端（端部）で反射された光の光路と下側の部位の先端（端部）で反射された光の光路とのなす角θ１が３０°以内となるように、第１の反射傘３１２は湾曲している。また、第２の反射傘３２２の上側の部位の先端（端部）で反射された光の光路と下側の部位の先端（端部）で反射された光の光路とのなす角θ２が３０°以内となるように、第２の反射傘３２２は湾曲している。このため、各照射部３１、３２から照射された光の多くを反射面２２５、２２７（又は２４６、２４７）によって反射させることができ、これにより、上方からの照射だけでは光が当たり難い湾曲した爪の端部（指先の幅方向の端部）に照射される光の光量が十分に確保される。その結果、より確実に、光硬化樹脂を爪全体において均一に硬化させることができる。
【００６５】
また、従来の樹脂硬化装置では、光照射部（光源）から照射される光の波長域が狭く、この波長域で硬化する光硬化樹脂しか硬化させることができなかった。そこで、複数種の光硬化樹脂（異なる波長域の光で硬化する複数の光硬化樹脂）に対応するために、光照射部の光源として波長域の広い光を照射可能な閃光放電管（例えば、キセノン放電管）を用いることが考えられる。
【００６６】
しかし、従来の樹脂硬化装置のように、照射部（光源）が多数配置された構成では、光源として閃光放電管（キセノン放電管等）を用いた場合、閃光放電管の動作に必要なメインコンデンサ等の比較的大きな部品の数も増加するために装置が大型化する。
【００６７】
これに対して、本実施形態の装置１０では、異なる位置に配置された各照射部３１、３２から配置領域に直接照射される光に加え、第１反射面２２５（又は第３反射面２４６）及び第２反射面２２７（又は第４反射面２４７）での反射光も利用することによって、少ない照射部（第１照射部３１と第２照射部３２）であっても配置領域に配置された指先に対して複数の方向から光を照射できるため、光源（フラッシュランプ）３１１、３２１としてキセノン放電管（閃光放電管）を用いても、装置１０の大型化を防ぐことができる。
【００６８】
また、本実施形態の装置１０では、載置台２４を照射室２２から着脱することで、手の指先に光を照射するときの配置部２０における配置スペース（配置領域）と、足の指先に光を照射するときの配置スペース（配置領域）との大きさを変更して、各照射部３１、３２及び各反射面２２５、２２７（又は２４６、２４７）から配置スペースに配置された手又は足の指先までの距離を変更することができる。これにより、足の指先（つま先）を配置できる大きさの配置スペースに手の指先を配置したときの光の照射効率の低下を好適に防ぐことができる。
【００６９】
しかも、照射室２２と載置台２４とが配置領域の両側に設けられて対向する一対の反射面（第１反射面２２５及び第２反射面２２７と、第３反射面２４６及び第４反射面２４７）をそれぞれ有しているため、手又は足の指先の配置スペース（配置領域）の大きさに合わせて好適な光学系の構築が可能である。
【００７０】
尚、本発明の樹脂硬化装置は、上記実施形態に限定されるものではなく、本発明の要旨を逸脱しない範囲内において種々変更を加え得ることは勿論である。
【００７１】
上記実施形態の装置１０では、配置部２０が、照射室２２と載置台２４とを有しているが、この構成に限定されない。配置部２０は、照射室２２のみによって構成されていてもよい。
【００７２】
また、光照射部３０が有する照射部（光源）の具体的な数は限定されない。上記実施形態の装置１０は、一対の照射部３１、３２しか備えていないが、二対又は三対の照射部を備えてもよい。
【００７３】
また、上記実施形態の装置１０では、載置台２４が取り外された状態では、照射室２２の下方が開放されているが、この構成に限定されない。載置台２４の下側位置において、照射室２２の下方を塞ぐ（即ち、載置台２４が取り付けられた状態で該載置台２４の基部２４１の下面に沿って広がる）底板が設けられてもよい。
【産業上の利用可能性】
【００７４】
本発明の樹脂硬化装置は、指先が配置される配置領域を挟んで並ぶ第１反射部及び第２反射部と、光硬化樹脂を硬化させる光を照射する第１照射部及び第２照射部と、を備え、前記第１反射部は、前記第２反射部と対向する第１反射面を有し、前記第２反射部は、前記第１反射部と対向する第２反射面を有し、前記第１照射部は、前記第１反射部と前記第２反射部との並び方向において前記配置領域に対して前記第１反射部側に配置され、前記第２反射面を介して前記配置領域に前記光を照射し、前記第２照射部は、前記並び方向において前記配置領域に対して前記第２反射部側に配置され、前記第１反射面を介して前記配置領域に前記光を照射することによって、少ない照射部によって光硬化樹脂を爪全体において均一に硬化させる用途に適用することができる。
【符号の説明】
【００７５】
１０    樹脂硬化装置
２２    照射室
２２１  第１側壁（第１反射部）
２２２  第２側壁（第２反射部）
２２５  第１反射面
２２７  第２反射面
２４    載置台
２４６  第３反射面
２４７  第４反射面
３１    第１照射部
３１１  第１のフラッシュランプ（第１光源）
３１２  第１の反射傘（第１反射部材）
３２    第２照射部
３２１  第２のフラッシュランプ（第２光源）
３２２  第２の反射傘（第２反射部材）
ｏａ１  第１の光軸（第１照射部の光軸）
ｏａ２  第２の光軸（第２照射部の光軸）
【図１】
2015070977.tif 000003
【図２】
2015070977.tif 000004
【図３】
2015070977.tif 000005
【図４】
2015070977.tif 000006
【図５】
2015070977.tif 000007
【図６】
2015070977.tif 000008
【図７】
2015070977.tif 000009